(57)【要約】【課題】事故解析以外の目的に使用することができるとともに複数のオシロ装置間のデータ解析などを行うことができるオシロ装置を提供する。【解決手段】電力系統の電圧および電流の波形データを記憶し、外部からのＤＣ要素入力に応じて生成されるオシロ起動信号および外部からのＡＣ要素入力が事故検出用閾値を超えると生成されるオシロ起動信号に応じて、記憶した波形データを外部に出力するオシロ装置１であって、外部から入力されるＡＣ要素入力を事故検出用閾値よりも低いトリガ用閾値と比較して、ＡＣ要素入力がトリガ用閾値を超えるとトリガ用起動信号を生成するトリガ用起動信号生成部５０と、トリガ用起動信号生成部５０からトリガ用起動信号が入力されると、トリガ用起動信号の入力時間前後の一定時間の電圧および電流の波形データを外部に出力する制御部７０とを具備する。【選択図】図１
2007285857.tif 000002
【特許請求の範囲】
【請求項１】
電力系統の電圧および電流の波形データを記憶し、外部からのＤＣ要素入力に応じて生成されるオシロ起動信号および外部からのＡＣ要素入力が事故検出用閾値を超えると生成されるオシロ起動信号に応じて、該記憶した波形データを外部に出力するオシロ装置であって、
外部から入力されるＡＣ要素入力を前記事故検出用閾値よりも低いトリガ用閾値と比較して、該ＡＣ要素入力が該トリガ用閾値を超えるとトリガ用起動信号を生成するトリガ用起動信号生成部（５０）と、
該トリガ用起動信号生成部から前記トリガ用起動信号が入力されると、所定の期間の前記電圧および電流の波形データを外部に出力する制御部（７０）と、
を具備することを特徴とする、オシロ装置。
【請求項２】
前記トリガ用起動信号を前記電力系統に分散された複数の他のオシロ装置に出力するトリガ用起動信号出力部（６４）をさらに具備することを特徴とする、請求項１記載のオシロ装置。
【請求項３】
前記他のオシロ装置からのトリガ用起動信号を受け取るトリガ用起動信号入力部（６１）をさらに具備し、
前記制御部が、前記他のオシロ装置からのトリガ用起動信号が前記トリガ用起動信号入力部から入力されると、所定の期間の前記電圧および電流の波形データを外部に出力する、
ことを特徴とする、請求項２記載のオシロ装置。
【請求項４】
事故解析以外の目的で波形データを収集させるためのＤＣ要素入力が外部から入力されるＤＣ要素入力部（６３）をさらに具備し、
前記トリガ用起動信号生成部が、前記ＤＣ要素入力部から入力される前記事故解析以外の目的で波形データを収集させるためのＤＣ要素入力に応じても前記トリガ用起動信号を生成する、
ことを特徴とする、請求項１乃至３いずれかに記載のオシロ装置。
【請求項５】
前記事故解析以外の目的で波形データを収集させるためのＤＣ要素入力が、ＦＬ起動信号、装置計測異常信号、保護継電器故障信号、ＣＢ手動入切信号およびＬＳ手動入切信号を含むことを特徴とする、請求項１乃至４いずれかに記載のオシロ装置。
【請求項６】
前記ＡＣ要素入力の所定の交流成分のみを抽出するためのフィルタ手段（１５）と、
前記ＡＣ要素入力をアナログ／ディジタル変換するためのアナログ／ディジタル変換手段（１４）と、
前記ＡＣ要素入力の波形データを記憶するための生データメモリ（２１）と、
前記フィルタ手段によって抽出された前記ＡＣ要素入力の所定の交流成分の波形データを記憶するためのデータメモリ（２２）と、
をさらに具備することを特徴とする、請求項１乃至５いずれかに記載のオシロ装置。
【請求項７】
前記生データメモリに、前記トリガ用起動信号および前記他のオシロ装置からのトリガ用起動信号によって前記オシロ装置が起動された場合に外部に出力するための前記ＡＣ要素入力の波形データが、該トリガ用起動信号か該他のオシロ装置からのトリガ用起動信号かの区別を示す識別データと共にタイムスタンプされて記憶され、
前記データメモリに、前記トリガ用起動信号および前記他のオシロ装置からのトリガ用起動信号によって前記オシロ装置が起動された場合に外部に出力するための前記フィルタ手段によって抽出された前記ＡＣ要素入力の所定の交流成分の波形データが、該トリガ用起動信号か該他のオシロ装置からのトリガ用起動信号かの区別を示す識別データと共にタイムスタンプされて記憶される、
ことを特徴とする、請求項１乃至６いずれかに記載のオシロ装置。
【請求項８】
前記電力系統に分散された複数の他のオシロ装置に前記トリガ用起動信号を出力する範囲が起動様相に応じて変えられることを特徴とする、請求項１乃至７いずれかに記載のオシロ装置。
【発明の詳細な説明】
【技術分野】
【０００１】
本発明は、オシロ装置に関し、特に、電力系統の電圧および電流の波形データを記憶して波形データ収集装置に伝送するのに好適なオシロ装置に関する。
【背景技術】
【０００２】
従来、電力系統の事故解析用の波形データの収集を行うために、電力系統の電圧および電流の波形データを記憶して、記憶した波形データを波形データ収集装置に伝送するオシロ装置が用いられている。
このようなオシロ装置は、外部から入力されるアナログ電圧信号およびアナログ電流信号（ＡＣ要素入力）を所定のサンプリング周波数（たとえば、１，９２０Ｈｚ）でサンプリングしてアナログ／ディジタル変換（Ａ／Ｄ変換）して得たディジタル電圧信号およびディジタル電流信号を通過帯域６０Ｈｚのバンドパスフィルタに通したのちに、その波形データを記憶しておき、送電線事故などが発生して保護継電器からリレートリップ信号（ＤＣ要素入力）などが入力されると、この事故発生前後の一定時間にわたる波形データを波形データ収集装置に伝送している。
また、オシロ装置は、ＡＣ要素入力である零相電圧および零相電流を、オシロ装置が有する起動閾値設定機能によって設定された事故検出用閾値（事故検出用零相電圧閾値および事故検出用零相電流閾値）と比較して、前者が後者を超えると発生されるオシロ起動信号に応じて、事故発生前後の一定時間にわたる波形データを波形データ収集装置に伝送している。
【０００３】
なお、下記の特許文献１には、送電線路の長短や地絡電流の大小に関わらず高精度の標定ができるようにするために、送電系統の相ごとに電流検出手段および電圧検出手段を設けてオシロと接続し、地絡事故発生時の送電端の電流および電圧に基づいて電流、電圧等式を解くことにより、送電線路のキャパシタンスを考慮して送電線路の長短や地絡電流の大小に関わらず、高精度の標定ができるようにした送電系統の故障点標定方法が開示されている。
また、下記の特許文献２には、送電線などの地絡事故発生時の日時を含む事故情報（主に事故波形）を通信手段を介して入手し、コンピュータを援用して多観点から波形解析し、それらの解析値をニューラルネットワークに入力することにより、高精度で迅速に事故原因を推定可能とした送電線などの事故原因推定方法が開示されている。この送電線などの事故原因推定方法では、配電用変電所に設置した自動オシロ装置と拠点箇所に設置したパーソナルコンピュータとを連携してシステム構成し、送電線などに地絡事故が発生すると、自動オシロ装置が起動して、事故前後の波形データを収録している。
【特許文献１】特開２０００−２２７４５３号公報
【特許文献２】特開平１１−１４２４６６号公報
【発明の開示】
【発明が解決しようとする課題】
【０００４】
しかしながら、オシロ装置は、外部から入力されるリレートリップ信号やオシロ起動信号に応じて波形データを波形データ収集装置に伝送するものであるため、事故解析の目的にしか使用することができないという問題があった。
また、オシロ装置は、単一のオシロ装置からの波形データに基づいた解析を行うのに使用されているため、電力系統に設けられた複数のオシロ装置間のデータ解析を行うには必ずしも適していないという問題があった。
【０００５】
本発明の目的は、事故解析以外の目的に使用することができるとともに複数のオシロ装置間のデータ解析などを行うことができるオシロ装置を提供することにある。
【課題を解決するための手段】
【０００６】
本発明のオシロ装置は、電力系統の電圧および電流の波形データを記憶し、外部からのＤＣ要素入力に応じて生成されるオシロ起動信号および外部からのＡＣ要素入力が事故検出用閾値を超えると生成されるオシロ起動信号に応じて、該記憶した波形データを外部に出力するオシロ装置であって、外部から入力されるＡＣ要素入力を前記事故検出用閾値よりも低いトリガ用閾値と比較して、該ＡＣ要素入力が該トリガ用閾値を超えるとトリガ用起動信号を生成するトリガ用起動信号生成部（５０）と、該トリガ用起動信号生成部から前記トリガ用起動信号が入力されると、所定の期間の前記電圧および電流の波形データを外部に出力する制御部（７０）とを具備することを特徴とする。
ここで、前記トリガ用起動信号を前記電力系統に分散された複数の他のオシロ装置に出力するトリガ用起動信号出力部（６４）をさらに具備してもよい。
前記他のオシロ装置からのトリガ用起動信号を受け取るトリガ用起動信号入力部（６１）をさらに具備し、前記制御部が、前記他のオシロ装置からのトリガ用起動信号が前記トリガ用起動信号入力部から入力されると、所定の期間の前記電圧および電流の波形データを外部に出力してもよい。
事故解析以外の目的で波形データを収集させるためのＤＣ要素入力が外部から入力されるＤＣ要素入力部（６３）をさらに具備し、前記トリガ用起動信号生成部が、前記ＤＣ要素入力部から入力される前記事故解析以外の目的で波形データを収集させるためのＤＣ要素入力に応じても前記トリガ用起動信号を生成してもよい。
前記事故解析以外の目的で波形データを収集させるためのＤＣ要素入力が、ＦＬ起動信号、装置計測異常信号、保護継電器故障信号、ＣＢ手動入切信号およびＬＳ手動入切信号を含んでもよい。
前記ＡＣ要素入力の所定の交流成分のみを抽出するためのフィルタ手段（１５）と、前記ＡＣ要素入力をアナログ／ディジタル変換するためのアナログ／ディジタル変換手段（１４）と、前記ＡＣ要素入力の波形データを記憶するための生データメモリ（２１）と、前記フィルタ手段によって抽出された前記ＡＣ要素入力の所定の交流成分の波形データを記憶するためのデータメモリ（２２）とをさらに具備してもよい。
前記生データメモリに、前記トリガ用起動信号および前記他のオシロ装置からのトリガ用起動信号によって前記オシロ装置が起動された場合に外部に出力するための前記ＡＣ要素入力の波形データが、該トリガ用起動信号か該他のオシロ装置からのトリガ用起動信号かの区別を示す識別データと共にタイムスタンプされて記憶され、前記データメモリに、前記トリガ用起動信号および前記他のオシロ装置からのトリガ用起動信号によって前記オシロ装置が起動された場合に外部に出力するための前記フィルタ手段によって抽出された前記ＡＣ要素入力の所定の交流成分の波形データが、該トリガ用起動信号か該他のオシロ装置からのトリガ用起動信号かの区別を示す識別データと共にタイムスタンプされて記憶されてもよい。
前記電力系統に分散された複数の他のオシロ装置に前記トリガ用起動信号を出力する範囲が起動様相に応じて変えられてもよい。
【発明の効果】
【０００７】
本発明のオシロ装置は、以下の効果を奏する。
（１）ＡＣ要素入力の大きさを従来の事故検出用閾値よりも低い値に設定されたトリガ用閾値と比較してトリガ用起動信号を生成することにより、事故発生時以外でもオシロ装置を起動して送電線などの電流や電圧の波形データを出力させることができるので、事故解析以外の目的にも使用することができる。
（２）電力系統に分散された複数の他のオシロ装置にトリガ用起動信号を出力することにより、同じ所定期間にわたる波形データを複数のオシロ装置から収集することができるので、複数のオシロ装置間のデータ解析を行うことができる。
（３）電力系統に分散された複数の他のオシロ装置にトリガ用起動信号を出力する範囲を起動様相に応じて変えて波形データを収集することにより、電力系統解析に活用したり顧客サービス情報として提供したりすることができる。
【発明を実施するための最良の形態】
【０００８】
上記の目的を、外部から入力されるＡＣ要素入力がトリガ用閾値（事故検出用閾値よりも低い。）を超えると所定の期間の電圧および電流の波形データを外部に出力することにより実現した。
【実施例１】
【０００９】
以下、本発明のオシロ装置の実施例について、図面を参照して説明する。
本発明の一実施例によるオシロ装置１は、図１に示すように、アナログ入力部１０と、データメモリ部２０と、閾値メモリ３０と、オシロ起動信号生成部４０と、トリガ用起動信号生成部５０と、入出力部６０と、制御部７０とを具備する。なお、アナログ入力部１０とデータメモリ部２０と閾値メモリ３０とオシロ起動信号生成部４０とトリガ用起動信号生成部５０と入出力部６０と制御部７０とはバスを介して接続されている。
【００１０】
ここで、アナログ入力部１０は、入力変換器１１と、サンプリングホールド回路１２（以下、「Ｓ／Ｈ回路１２」と称する。）と、マルチプレクサ回路１３（以下、「ＭＰＸ回路１３」と称する。）と、アナログ／ディジタル変換器１４（以下、「Ａ／Ｄ変換器１４」と称する。）と、バンドパスフィルタ１５（以下、「ＢＰＦ１５」と称する。）とを備える。
【００１１】
入力変換器１１には、以下に示すようなアナログ信号（ＡＣ要素入力）が外部から入力される。
（１）送電線などのａ相，ｂ相およびｃ相の電流値をそれぞれ示す第１乃至第３のアナログ電流信号ｉa，ｉb，ｉc
（２）零相電流値を示すアナログ零相電流信号ｉ0
（３）母線のａ相，ｂ相およびｃ相の電圧値をそれぞれ示す第１乃至第３のアナログ母線電圧信号ｖＢa，ｖＢb，ｖＢc
（４）送電線などのａ相，ｂ相およびｃ相の電圧値をそれぞれ示す第１乃至第３のアナログ線路電圧信号ｖＬa，ｖＬb，ｖＬc
（５）零相電圧を示すアナログ零相電圧信号ｖ0。
Ｓ／Ｈ回路１２は、所定のサンプリング周波数（たとえば、１，９２０Ｈｚ）で入力変換器１１の出力信号をサンプリングしてホールドする。
ＭＰＸ回路１３は、Ｓ／Ｈ回路１２の出力信号を切り換えてＡ／Ｄ変換器１４に出力する。
Ａ／Ｄ変換器１４は、ＭＰＸ回路１３から出力されるアナログ信号をディジタル信号に変換する。
ＢＰＦ１５は、通過帯域が商用周波数６０Ｈｚのものであり、Ａ／Ｄ変換器１４から出力されるディジタル信号の６０Ｈｚ成分（以下、「ディジタル交流成分信号」と称する。）のみを抽出する。
【００１２】
データメモリ部２０は、生データメモリ２１と、データメモリ２２とを備える。
ここで、生データメモリ２１は、従来のオシロ装置は備えていないものであり、アナログ入力部１０からＢＰＦ１５を通らずに出力されるディジタル信号（以下、「生ディジタル信号」と称する。）を波形データとして記憶するためのものである。
データメモリ２２は、従来のオシロ装置が備えているデータメモリと同様に、アナログ入力部１０からＢＰＦ１５を通って出力されるディジタル交流成分信号を波形データとして記憶するためのものである。
なお、生データメモリ２１には、図２（ａ）に示すように、後述する自他のトリガ用起動信号によってオシロ装置１が起動された場合に外部に出力するための生ディジタル電圧信号Ｖmk（ｋは０または負の整数）および生ディジタル電流信号Ｉmkの波形データが、自身のトリガ用起動信号か他のオシロ装置からのトリガ用起動信号かの区別を示す識別データ（同図には「内」と「外」で表示）と共にタイムスタンプされて記憶される。
また、データメモリ２２には、図２（ｂ）に示すように、後述するオシロ起動信号オシロ装置１が起動された場合に出力するためのディジタル電圧交流成分信号Ｖfkおよびディジタル電流交流成分信号Ｉfkの波形データがタイムスタンプされて記憶されるとともに、自他のトリガ用起動信号によってオシロ装置１が起動された場合に外部に出力するためのディジタル電圧交流成分信号Ｖfkおよびディジタル電流交流成分信号Ｉfkの波形データが、自身のトリガ用起動信号か他のオシロ装置からのトリガ用起動信号かの区別を示す識別データ（同図には「内」と「外」で表示）と共にタイムスタンプされて記憶される。
【００１３】
閾値メモリ３０には、従来の事故検出用閾値を表わす事故検出用閾値データと、事故検出用閾値よりも低い値に設定されたトリガ用閾値を表わすトリガ用閾値データとが格納されている。
【００１４】
オシロ起動信号生成部４０は、従来のオシロ装置にも備えられているものであり、ＤＣ要素入力部６３から入力される外部からのＤＣ要素入力（リレートリップ信号など）に応じてオシロ起動信号を生成するとともに、アナログ入力部１０のＢＰＦ１５から出力されるディジタル交流成分信号を、閾値メモリ３０から読み出した事故検出用閾値データによって表わされる事故検出用閾値と比較して、前者が後者を超えると、オシロ起動信号を生成する。
たとえば、オシロ装置１が設置された送電線などに地絡事故が発生した場合には、アナログ入力部１０のＢＰＦ１５から出力されるディジタル零相電圧交流成分信号およびディジタル零相電流交流成分信号によって表わされる零相電圧値および零相電流値を、閾値メモリ３０から読み出した事故検出用閾値データによって表わされる事故検出用閾値（事故検出用零相電圧閾値および事故検出用零相電流閾値）と比較して、前者が後者を超えると、オシロ起動信号を生成する。
【００１５】
トリガ用起動信号生成部５０は、従来のオシロ装置は備えていないものであり、アナログ入力部１０のＢＰＦ１５から出力されるディジタル交流成分信号を、閾値メモリ３０から読み出したトリガ用閾値データによって表わされるトリガ用閾値と比較して、前者が後者を超えると、トリガ用起動信号を生成する。
たとえば、オシロ装置１が設置された送電線などに地絡保護継電器が動作しない程度の地絡事故が発生した場合には、アナログ入力部１０のＢＰＦ１５から出力されるディジタル零相電圧交流成分信号およびディジタル零相電流交流成分信号によって表わされる零相電圧値および零相電流値を、閾値メモリ３０から読み出したトリガ用閾値データによって表わされるトリガ用閾値（トリガ用零相電圧閾値およびトリガ用零相電流閾値）と比較して、前者が後者を超えると、トリガ用起動信号を生成する。
また、トリガ用起動信号生成部５０は、事故解析以外の目的でも波形データを収集することができるようにするために、ＤＣ要素入力部６３から入力される外部からのＤＣ要素入力（ＦＬ起動信号、装置計測異常信号、保護継電器故障信号、ＣＢ手動入切信号およびＬＳ手動入切信号など）に応じてもトリガ用起動信号を生成する。
【００１６】
入出力部６０は、トリガ用起動信号入力部６１と、タイミングパルス生成部６２と、ＤＣ要素入力部６３と、トリガ用起動信号出力部６４と、波形データ出力部６５とを備える。
トリガ用起動信号入力部６１は、他のオシロ装置から入力されるトリガ用起動信号を受け取る。
タイミングパルス生成部６２は、ＧＰＳ衛星から受信した時刻信号Ｔに基づいてタイミングパルス（たとえば、周期が１秒）を生成する。なお、このタイミングパルスは、オシロ装置１と他のオシロ装置とから波形データを波形収集装置に収集するときに、これらのオシロ装置から出力される波形データの同期（時間合わせ）を取るために使用される。
ＤＣ要素入力部６３は、外部から入力されるオシロ装置１を起動するためのＤＣ要素入力信号を受け取る。ここで、ＤＣ要素入力信号としては、既存のオシロ装置において使用されている保護継電器用トリップ信号、短絡事故発生信号、地絡事故発生信号、２秒以内の瞬時電圧低下発生信号および２秒以上の全停電事故発生信号のほかに、上述したように事故解析以外の目的で波形データを収集させるためのＦＬ起動信号、装置計測異常信号、保護継電器故障信号、ＣＢ手動入切信号およびＬＳ手動入切信号などを使用する。
トリガ用起動信号出力部６４は、トリガ用起動信号生成部５０から入力されるトリガ用起動信号を他のオシロ装置に出力する。
波形データ出力部６５は、生データメモリ２１およびデータメモリ２２から読み出された波形データを外部に出力する。
【００１７】
制御部７０は、オシロ起動信号生成部４０から入力されるオシロ起動信号、トリガ用起動信号生成部５０から入力されるトリガ用起動信号、および、トリガ用起動信号入力部６１から入力される他のオシロ装置からのトリガ用起動信号に応じて、生データメモリ２１およびデータメモリ２２から所定の期間の波形データを読み出して、読み出した波形データを波形データ出力部６５に出力する。
また、制御部７０は、データメモリ部２０、閾値メモリ３０、オシロ起動信号生成部４０、トリガ用起動信号生成部５０および入出力部６０を制御する。
【００１８】
次に、本実施例によるオシロ装置１の動作について、第１のオシロ装置１1が設置された送電線などにおいて地絡保護継電器が動作しない程度の地絡事故が発生したときに、この地絡事故発生前後の一定時間の送電線などの第１乃至第Ｎの電圧波形データＤＶ1〜ＤＶNおよび第１乃至第Ｎの電流波形データＤＩ1〜ＤＩNを第１乃至第Ｎのオシロ装置１1〜１Nから波形収集装置９０に収集する場合を例として、図３を参照して説明する。
【００１９】
第１のオシロ装置１1が設置された送電線などにおいてトリガ用零相電圧閾値Ｖ0refよりも大きな零相電圧ｖ01が発生するとともにトリガ用零相電流閾値Ｉ0refよりも大きな零相電流ｉ01が流れると、第１のオシロ装置１1のトリガ用起動信号生成部５０は、トリガ用起動信号ＴＲを生成し、生成したトリガ用起動信号ＴＲをトリガ用起動信号出力部６４および制御部７０に出力する。
【００２０】
制御部７０は、トリガ用起動信号ＴＲが入力されると、トリガ用起動信号ＴＲの入力時間前後の一定時間の第１の生ディジタル電圧信号Ｖ1mk、第１の生ディジタル電流信号Ｉ1mk、第１のディジタル電圧交流成分信号Ｖ1fkおよび第１のディジタル電流交流成分信号Ｉ1fkの波形データ（第１の電圧波形データＤＶ1および第１の電流波形データＤＩ1）を生データメモリ２１およびデータメモリ２２から読み出して、読み出した第１の電圧波形データＤＶ1および第１の電流波形データＤＩ1を波形データ出力部６５に出力して波形収集装置９０に伝送させる。
【００２１】
また、トリガ用起動信号出力部６４は、トリガ用起動信号ＴＲを第２乃至第Ｎのオシロ装置１2〜１Nに出力する。これにより、第２乃至第Ｎのオシロ装置１2〜１Nの制御部７０は、第２乃至第Ｎのオシロ装置１2〜１Nのトリガ用起動信号入力部６１を介して入力されるトリガ用起動信号ＴＲに応じて、上述した第１のオシロ装置１1の制御部７０と同様にして、トリガ用起動信号ＴＲを受け取った時刻前後の一定時間の第２乃至第Ｎの生ディジタル電圧信号Ｖ2mk〜ＶNmk、第２乃至第Ｎの生ディジタル電流信号Ｉ2mk〜ＩNmk、第２乃至第Ｎのディジタル電圧交流成分信号Ｖ2fk〜ＶNfkおよび第２乃至第Ｎのディジタル電流交流成分信号Ｉ2fk〜ＩNfkの波形データ（第２乃至第Ｎの電圧波形データＤＶ2〜ＤＶNおよび第２乃至第Ｎの電流波形データＤＩ2〜ＤＩN）を第２乃至第Ｎのオシロ装置１2〜１Nの生データメモリ２１およびデータメモリ２２から読み出して、読み出した第２乃至第Ｎの電圧波形データＤＶ2〜ＤＶNおよび第２乃至第Ｎの電流波形データＤＩ2〜ＤＩNを第２乃至第Ｎのオシロ装置１2〜１Nの波形データ出力部６５に出力して波形収集装置９０に伝送させる。
【００２２】
次に、図４に示す電力系統においてＡ変電所とＢ変電所との間の送電線に落雷があった場合の本実施例におけるオシロ装置１の効果について説明する。
従来のオシロ装置では、瞬低検出時のオシロ起動設定はたとえばＰＴ２次電圧（定格１１０Ｖ）＝９５Ｖ以下の状態が２秒以下とされており、Ａ変電所に設置されたオシロ装置およびＢ変電所に設置されたオシロ装置のみこのオシロ起動設定に従って起動し、Ｃ変電所、Ｄ変電所およびＧ変電所に設置されたオシロ装置は起動しなかった場合には、Ｃ変電所、Ｄ変電所およびＧ変電所におけるＰＴ２次電圧は９５Ｖ以上であったと推定するしかなかった。
【００２３】
しかしながら、本実施例によるオシロ装置１を使用した場合には、ＰＴ２次電圧（定格１１０Ｖ）＝１００Ｖ以下の状態が２秒以下という瞬低検出用のトリガ用閾値を設定しておくことにより、Ｂ変電所に設置されたオシロ装置１Bのトリガ用起動信号生成部５０によってトリガ用起動信号が生成されて、Ｃ変電所に設置されたオシロ装置１C、Ｄ変電所に設置されたオシロ装置１DおよびＧ変電所に設置されたオシロ装置１Gに記憶された瞬時電圧低下発生時前後の一定時間のＰＴ電圧の波形データを波形収集装置９０（図３参照）に収集することができる。その結果、たとえば、瞬時電圧低下発生時に、Ｃ変電所におけるＰＴ２次電圧は９５．１Ｖであり、Ｄ変電所におけるＰＴ２次電圧は９５．２Ｖであり、Ｇ変電所におけるＰＴ２次電圧は９５．８Ｖであったということが分かる。
これにより、Ａ変電所とＢ変電所との間の送電線の落雷によって顧客イ〜顧客トにどれくらいの時間どれくらいの大きさの電圧変化で影響を与えたかを判定することができるため、顧客サービスの目的にオシロ装置１A〜１Gを使用することができる。
【００２４】
以上の説明では、１つのオシロ装置１から他のオシロ装置すべてにトリガ用起動信号を出力したが、トリガ用起動信号の出力先を限定して波形データを波形収集装置９０に集めることにより、電力系統解析および顧客サービス情報の提供を効率的に行うようにしてもよい。
たとえば、第１乃至第６のオシロ装置１1〜１6が図５に示すように配置された電力系統において、トリガ用零相電圧閾値Ｖ0refよりも大きな零相電圧ｖ01が発生するとともにトリガ用零相電流閾値Ｉ0refよりも大きな零相電流ｉ01が流れた程度の地絡事故が発生した場合には、トリガ用起動信号の出力先を以下のように限定する。
（１）第２のオシロ装置１2の制御部７０は、他のオシロ装置１1，１3〜１6にトリガ用起動信号を出力しない。
（２）第３のオシロ装置１3の制御部７０は、他のすべてのオシロ装置１1，１2，１4〜１6にトリガ用起動信号を出力する。
（３）第４のオシロ装置１4の制御部７０は、第６のオシロ装置１6にのみトリガ用起動信号を出力する。
【００２５】
また、図１に示したようにＢＰＦ１５をＡ／Ｄ変換器１４の後に設けたが、アナログ回路で構成されたバンドパスフィルタ（ＢＰＦ）をサンプリングホールド回路１２の前に設けてもよい。
【図面の簡単な説明】
【００２６】
【図１】本発明の一実施例によるオシロ装置の構成を示す図である。
【図２】図１に示した生データメモリ２１およびデータメモリに記憶されるデータについて説明するための図である。
【図３】図１に示したオシロ装置１の動作について説明するための図である。
【図４】図１に示したオシロ装置１の効果について説明するための図である。
【図５】トリガ用起動信号を出力する範囲を起動様相に応じて変えて波形データを収集する場合について説明するための図である。
【符号の説明】
【００２７】
１，１1〜１N，１A〜１G  オシロ装置
１０  アナログ入力部
１１  入力変換器
１２  サンプリングホールド回路
１３  マルチプレクサ回路
１４  アナログ／ディジタル変換器
１５  バンドパスフィルタ
２０  データメモリ部
２１  生データメモリ
２２  データメモリ
３０  閾値メモリ
４０  オシロ起動信号生成部
５０  トリガ用起動信号生成部
６０  入出力部
６１  トリガ用起動信号入力部
６２  タイミングパルス生成部
６３  ＤＣ要素入力部
６４  トリガ用起動信号出力部
６５  波形データ出力部
７０  制御部
９０  波形収集装置
ＤＶk  電圧波形データ
ＤＩk  電流波形データ
ＴＲ  トリガ用起動信号
ｖk  電圧信号
ｉk  電流信号
ｖ0k  零相電圧信号
ｉ0k  零相電流信号
Ｖmk  生ディジタル電圧信号
Ｉmk  生ディジタル電流信号
Ｖfk  ディジタル電圧交流成分信号
Ｉfk  ディジタル電流交流成分信号
【図１】
2007285857.tif 000003
【図２】
2007285857.tif 000004
【図３】
2007285857.tif 000005
【図４】
2007285857.tif 000006
【図５】
2007285857.tif 000007